Podtech/llm-jp-corpus-v4-ja_patent huggingface dataset:
(57)【要約】【課題】  ブレーキを踏むと同時に前方の歩行者等に対し瞬時にしてより効果的に警告を発することのできるような自動車を提供する。【解決手段】  車体１の後方に設けられた後方ブレーキ灯２Ｂと共にブレーキライトスイッチ３に接続された前方ブレーキ灯２Ｆを車体前方に設ける。【選択図】  図１
0003109114.tif 000002
【実用新案登録請求の範囲】
【請求項１】
車体後方に設けられた後方ブレーキ灯と共にブレーキライトスイッチに接続された前方ブレーキ灯を車体前方に設けたことを特徴とする前方にブレーキ灯を有する自動車。
【考案の詳細な説明】
【技術分野】
【０００１】  この考案は、車体の前方にもブレーキ灯（ブレーキランプ）を有する乗用車やトラック等の自動車に関する。
【背景技術】
【０００２】  自動車がブレーキをかけて減速したときに後続車両が追突するのを回避するためのブレーキランプが車体後部のテールランプ（尾灯）と並んで設けられているのは周知の通りである。この車体１の後方に設けられた後方ブレーキ灯２Ｂは、バッテリー４に繋がったブレーキライトスイッチ３（通常、ブレーキペタルの下にある）とハーネス５（電線）で連結（電気接続）されている。
【考案の開示】
【考案が解決しようとする課題】
【０００３】
【０００４】  このような現状において運転者がブレーキをかけると、車体後方の該ブレーキ灯１Ｂのみが点灯し、前方においては一切の光量の変化を生じないから、車の前方に来た歩行者などは、聴覚もしくは動体視力のみに頼って危険を回避することになる。またホーンの場合は運転者にとって別の操作を要し、若干のタイムラグを生じてしまう。【０００５】  大抵の場合はそれで十分ではあるものの、人間は時として注意散漫や体調不良のこともあり、また幼児、高齢者、或いは身体障害者にとってはそれのみでは不十分で、一層注意を喚起しなくてはならない場合が多いのも事実である。【０００６】  本考案はかかる観点から、ブレーキを踏むと同時に前方の歩行者等により効果的に注意を促して事故回避に役立つことができるような自動車を提供することを課題とする。
【課題を解決するための手段】
【０００７】  車体１（上から見た輪郭を点線で示す）の後方に設けられた後方ブレーキ灯２Ｂと共にブレーキライトスイッチ３に接続された前方ブレーキ灯２Ｆを車体前方に設けて、本考案の前方にブレーキ灯を有する自動車とする。【０００８】  このブレーキライトスイッチ３は在来のものと同様であって、通常はブレーキペタルの下方にあり、バッテリー４にハーネス５で繋がっている。【０００９】  在来の自動車において後方ブレーキ灯２Ｂのみに配線されているハーネス５の中途でこれを図面のように分岐し、該前方ブレーキ灯２Ｆにまでハーネス５を延長し接続することにより、本考案は実現できる。【００１０】  本考案の前方ブレーキ灯２Ｆは、独自のものを新たに設置してもよいが、既成のヘッドライトやフォグライトがブレーキとともに点灯するようにしてもよい。なお車種ごとにこれらを組み合わせれば一層効果的である。またトラック等では車体上部のライトを点灯させることもできる。【００１１】  なお、最近実用化が進んできた発光ダイオードを光源体に用いると、消費電力を著しく低減して高輝度のものにできるから、バッテリー負担の問題も解決し、本考案には甚だ適したものとなる。
【考案の効果】
【００１１】  本考案によれば、高齢者、幼児、身体障害者、その他注意力や体力が不十分な歩行者が車の前方に遭遇して危機に瀕した場合に、ドライバーの踏んだブレーキに即応して同時に光の警告を発することができるから、事故の回避により貢献することができるという効果がある。
【考案を実施するための最良の形態】
【００１２】  車体１の後方に設けられた後方ブレーキ灯２Ｂと共にブレーキライトスイッチ３に接続する前方ブレーキ灯２Ｆを車体前方に設けるにあたり、各光源体には発光ダイオードを使用するものとし、前方ブレーキ灯２Ｆはこれをフォグライトと並べてより高輝度のものを同一スペース内に収め、これに連結するハーネス５を後方ブレーキ灯２Ｂに連結するハーネス５に分岐接続する。他は在来の自動車の構成を踏襲するものとする。
【産業上の利用可能性】
【００１３】  既に述べたように、本考案によって救われるケースが多く想定され市場のニーズも大きく、その製作・実施は在来のものをほとんど踏襲したまま容易に実現でき、特に光源体に発光ダイオードを用いれば、心配されるバッテリーの消耗負担も著しく軽減されるから、産業上の利用可能性は十分であるといえる。
【図面の簡単な説明】
【００１４】
【図１】自動車内部の電気系統において本考案の要部を示した平面図
【符号の説明】
１……車体
２Ｂ……後方ブレーキ灯
２Ｆ……前方ブレーキ灯
３……ブレーキライトスイッチ
４……バッテリー
５……ハーネス
【図１】
0003109114.tif 000003
(57)【要約】      （修正有）【課題】極めて多数の香料サンプルを官能評価試験に付す場合、特定のサンプルを収容するサンプル瓶においてその特定の内容を表示する簡便な方法。【解決手段】官能試験用のサンプル瓶のキャップカバー３であって、特定のサンプルを収容するサンプル瓶においてその特定の内容を表示したことを特徴とするキャップカバー。キャップカバーは合成樹脂性であり、キャップ瓶に緩く嵌合し、上面又は胴部に「標準品」、「参考品」、「新規製造品」などの表示部４を有する。【選択図】図１
0003109140.tif 000002
【実用新案登録請求の範囲】
【請求項１】
香料の品質管理上いちどに多数のサンプルを官能試験に付す場合に用いられるサンプル瓶のキャップカバーであって、特定のサンプルを収容するサンプル瓶においてその特定の内容を表示したことを特徴とするキャップカバー。
【考案の詳細な説明】
【技術分野】
【０００１】
本考案は、官能試験用キャップカバーに関するものである。
【背景技術】
【０００２】
調合香料は少量多品種製品の代表的なものであり、原則としてオーダーメイドの製品である。また、その製造においては数千からなる原材料の中から、決められた処方にしたがい、熟練した配合者により計量・配合される。したがって、その品質管理は厳密なものでなければならず、種々の分析機器を駆使して行われる。しかしながら、調合香料は時間とともにその香質が変化することがあり、最終的には人間の嗅覚・味覚による官能検査が不可欠である。調合香料の官能検査においては、基本的には新規製造品と、保管してある標準品との比較検討を行うが、場合によっては数ロット遡った保管品との比較を参考として行うこともある。また、前記のように多品種少量製品であるため、一時に多種類の製品サンプルを官能検査することもある。そうすると、官能試験において極めて多数のサンプルが集中するときがあり、サンプルの誤認が生ずる可能性が考えられる。
【０００３】
サンプルの内容を確認するためには通常サンプル瓶の胴部のラベルで確認するが、サンプル瓶が多数集中する場合は視認が困難になることがある。そのような場合、キャップにメモなどを貼り付けて見分けることがよく行われているが、メモ書きすることもかなりの手間であり、またメモ自体が剥がれ落ちたりするなど、不便な点が多かった。キャップカバーに情報を表示する手段としては、例えばメモカード収容部を有するボトルカバーキャップ（特許文献１）などは提案されているが、使用性の良いものとはいえなかった。
【特許文献１】登録実用新案第３０９８０４２号
【考案の開示】
【考案が解決しようとする課題】
【０００４】
解決しようとする問題点は、極めて多数の香料サンプルを官能評価試験に付す場合、特定のサンプルを収容するサンプル瓶においてその特定の内容を表示する簡便な方法が無いという点である。
【課題を解決するための手段】
【０００５】
かかる目的を達成するための考案は、香料の品質管理上いちどに多数のサンプルを官能試験に付す場合に用いられるサンプル瓶のキャップカバーであって、特定のサンプルを収容するサンプル瓶においてその特定の内容を表示したことを特徴とするキャップカバーである。
【考案の効果】
【０００６】
本考案のキャップカバーは、「標準品」、「参考品」、「新規製造品」などというそのサンプルの属性があらかじめキャップカバーの上面又は胴部に記載してあるため、検査サンプルに被せるだけで容易に他のサンプルと識別することができ、サンプルの誤認を防ぐことができるほか、後片づけに非常に便利である。また、本発明のキャップカバーは、調合香料の香調別（例えばアップルなど）に用意すれば良く、他の香調の製品からの匂いのコンタミネーションを防ぐ効果を持つ。
【考案を実施するための最良の形態】
【０００７】
以下、本考案の構成を図１〜３に示す実施の形態に即して説明する。図１は、本考案のキャップカバーを装着したサンプル瓶を示す斜視図である。サンプル瓶は胴部１とキャップ部２からなり、キャップカバー３が着脱可能である。キャップカバー３の材質は特に限定されるものではないが、合成樹脂製であることが好ましい。キャップカバー３にはサンプルの属性を示す表示４があらかじめ記載されている。
【０００８】
図２は、本考案のキャップカバーを装着したときの正面図を示す。キャップカバー３の表示４はキャップカバーの胴部に表しても良い。図３は本考案のキャップカバーを装着したときの断面図を示す。キャップカバーはサンプル瓶と緩く嵌合し、匂いのコンタミネーションを防ぐ。
【産業上の利用可能性】
【０００９】
多数のサンプルの官能試験を行う場合に有用である。
【図面の簡単な説明】
【００１０】
【図１】本考案のキャップカバーを装着したときの斜視図である。
【図２】本考案のキャップカバーを装着したときの正面図である。
【図３】本考案のキャップカバーを装着したときのキャップカバーの断面図である。
【符号の説明】
【００１１】
１  サンプル瓶の胴部
２  サンプル瓶のキャップ部
３  キャップカバー
４  内容表示部
５  キャップカバーの断面
【図１】
0003109140.tif 000003
【図２】
0003109140.tif 000004
【図３】
0003109140.tif 000005
(57)【要約】【課題】片方向のみ履けない履物の不都合の解消等。【解決手段】はねとりつけ板２と支点軸とりつけ板３を支点軸４で連結することにより、はね１を前後に動作させることによりこの課題を解消する。【選択図】図１
0003109138.tif 000002
【実用新案登録請求の範囲】
【請求項１】
はねとりつけ板と、支点軸とりつけ板を支点軸で連結し、はねを前後に動作させることのできるところを特徴とする前後から履ける履物。
【考案の詳細な説明】
【技術分野】
【０００１】  本考案は、スリッパ、サンダルのはねを支点軸により動作させる履物に関するものである。
【背景技術】
【０００２】  従来スリッパ、サンダルは片方向のみ、履くことができなかった。
【考案の開示】
【考案が解決しようとする課題】
【０００３】  従来の履物はトイレ、ベランダ、玄関、台所等で脱いだ後に必ず向きを直さなければ履くことができず不便である。従って脱いだままの状態であっても向きを直さず足を入れることにより、はねが足の甲にきわめて広く当り安定感のある履物となり、前述の欠点を解決しようとするものである。
【課題を解決するための手段】
【０００４】  はね１とはねとりつけ板２を留具６で固定する。支点軸とりつけ板３と底板５を留具６で固定する。はねとりつけ板と支点軸とりつけ板を支点軸４で連結する。従って支点軸により、はねが扇状に前後することで問題を解決している。
【考案の効果】
【０００５】  よって本考案の前後から履ける履物は、前後左右関係なく履くことができ、足を入れた時に足の甲がはねを押し、支点軸の働きにより適度な角度になる。同時に足が奥に進み足の位置が中央に保たれると共に足の甲にはねが巾広く接し安定感がでる。したがって狭い場所、頻繁に使用する所等で向きを直さず履替えることが楽にできる履物である。
【考案の実施するための最良の形態】
【０００６】  本考案に係る前後から履ける履物は、図１に示すように支点軸４により足を入れると、はねを甲で押しながら甲に接し、つま先部が前下がりになり、どの向きから履いても通常の履物と変りなく便利である。図２で示すように、はね１が内側にあり、はねとりつけ板２と支点軸とりつけ板３を支点軸４で連結した形成であるが、はねを外側に出すことも、上記の部品の組替えで可能である。
【図面の簡単な説明】
【０００７】
【図１】本考案の前後から履ける履物の斜視図である。
【図２】本考案の断面図である。
【図３】本考案のとりつけ部の側面図である。
【符号の説明】
【０００８】１  はね
２  はねとりつけ板
３  支点軸とりつけ板
４  支点軸
５  底板
６  留具
７  中板
【図１】
0003109138.tif 000003
【図２】
0003109138.tif 000004
【図３】
0003109138.tif 000005
(57)【要約】【課題】  本考案はゴルフクラブにフラッグポールを取り付け、旗による空気抵抗を感じる事により、体感しながらスムーズなスウィングフォーム、スウィングスピードの向上など、技術の向上を図る【解決手段】  本考案は、旗３をフラッグポール１に通し、その両端に取り付けた固定バンド２をダイヤルスクリュー５とナット６により工具を用いることなくゴルフクラブに固定し、旗の抵抗を少なく感じるスウィングに近付けて行く事で無駄の無いフォームを形成する。また、旗による抵抗を意図的に作りだす事で、旗を外し抵抗を無くした状態でスウィングした場合のヘッドスピード（スウィングスピード）の向上を狙う事もできる。旗は長さの異なる物を取り付ける事で、空気抵抗を任意に設定でき、必要に応じた抵抗量による練習ができる。【選択図】  図１
0003109137.tif 000002
【実用新案登録請求の範囲】
【請求項１】
フラッグポール本体に、工具を用いる事なくダイヤルネジで固定可能なバンドを取り付けることでゴルフクラブより脱着自在としたところを特徴とする、ゴルフスウィングフラッグ。
【請求項２】
旗による空気抵抗を利用し、旗の大きさを変える事で必要に応じた抵抗量を選択できるところを特徴とする、請求項１記載のゴルフスウィングフラッグ。
【考案の詳細な説明】
【技術分野】
【０００１】  本考案は、ゴルフクラブに取り付ける事で、正しいフォームを形成しスウィングのスピードアップを図ることを目的とした装置に関するものである。
【背景技術】
【０００２】  正しいスウィングを身に着ける為には上手な人に教わる事になるのだが、言葉や見本だけでは伝わりにくく、従来の練習方法では自身が身につけることは非常に困難であった。
【考案の開示】
【考案が解決しようとする課題】
【０００３】  従来の練習方法の場合、各個人により得意不得意や要領の良し悪し、指導者の指導方法により、正しいスウィングフォームを会得する事が困難であったが、本考案を使用する事で使用者自身が体感しながら練習でき、前述の欠点を解消しようとするものである。
【課題を解決するための手段】
【０００４】  本考案は、旗を通したフラッグポールをゴルフクラブに取り付ける事でスウィング時に空気抵抗を感じ、抵抗の少ないスウィングに近付けていく事で、より良いフォームを身に着ける事を目的とし、見たり聞いたりするだけでは伝わりにくかった従来の練習方法の問題点を解決している。また、普段の練習時に旗による抵抗を意図的に作りだす事で、旗を外し抵抗を無くした状態でスウィングした場合のヘッドスピード（スウィングスピード）の向上を狙う目的もある。長さの違う旗を取り付ける事で、空気抵抗を任意に設定でき、必要に応じた抵抗量による練習ができる。
【考案の効果】
【０００５】  上述の様に、特別な指導を必要とすること無く初心者からベテランまで自分自身で体感しながら技術の向上を図る事が可能である。
【考案を実施するための最良の形態】
【０００６】  フラッグポールに旗を通した上で、旗に取り付けられた固定用のヒモをポールに空けられた何種類かの調整穴に通して固定し、ポール上下に取り付けられた固定バンドによりゴルフクラブに対し平行に固定される。固定バンドはダイヤル式ネジとナットを用いて、工具を用いる事なく固定される。また、取り外しは逆の手順で行われる。
【実施例】
【０００７】  以下、添付図面に従って一実施例を説明する。１は耐久性のプラスチックス等適宜素材にて成型されたフラッグポール本体、２は１をゴルフクラブに取り付けるためのナイロン等柔軟性耐久素材にて成型された固定バンドで、１に旗３を通して固定ヒモ４を１に開けられた位置調整穴７に通して固定した上で、１を２でゴルフクラブ本体８に固定する。１と２は、ダイヤルスクリュー５とナット６により固定される。【０００８】  旗３に於いては、長さの異なる物を用意する事で抵抗量を任意に設定できる。
【図面の簡単な説明】
【０００９】
【図１】本考案の実施例を示す正面図である。
【図２】本考案の側面図である。
【符号の説明】
【００１０】１．  フラッグポール本体
２．  固定バンド
３．  旗
４．  固定ヒモ
５．  ダイヤルスクリュー
６．  ナット
７．  位置調整穴
８．  ゴルフクラブ本体
【図１】
0003109137.tif 000003
【図２】
0003109137.tif 000004
(57)【要約】【課題】車内の照明とドアが閉まっていない時に警告する自動車内手すりの照明装置を提供する。【解決手段】自動車内手すりの照明装置であって、透明の手すり本体２内に収納室２３を成形し、その収納室一端に穿孔２４を貫通形成する。また、手すり本体内側には開孔２５を設けてその上には蓋体２６を設置する。照明ユニット３は、細長い回路板３１から構成され、その回路板上には複数個の発光ダイオードを設置して手すり本体の収納室内に収容される。【選択図】図２
0003109110.tif 000002
【実用新案登録請求の範囲】
【請求項１】
自動車内に設けられる手すりであって、
透明材質で作られ、内部に収納室が形成され、収納室一端には穿孔が貫通し、また内側には開孔が設置され、該開孔を蓋体で閉塞する手すり本体と、
手すり本体の収納室内に収容される、細長い回路基板上に複数個の発光ダイオードが設置される照明ユニットから構成される、
ことを特徴とする照明装置を内蔵する自動車内手すり。
【請求項２】
前記手すり本体は、両端に凹部が成形され、その凹部上には側面蓋が設置され、その側面蓋周辺には複数の掛合鉤が設置され、また凹部底面には長孔が設置されてネジ孔の位置を調整して螺合を容易にしてなることを特徴とする請求項１記載の照明装置を内蔵する自動車内手すり。
【請求項３】
前記蓋体は、側面に複数の掛合鉤が設置されて開孔の内縁を掛合して固定するようにしてなることを特徴とする請求項１記載の照明装置を内蔵する自動車内手すり。
【考案の詳細な説明】
【技術分野】
【０００１】
本考案は、自動車内手すりの照明装置に関するもので、車内照明及びドアが完全に閉まっていない時の警告に利用されるものである。
【背景技術】
【０００２】
一般的に自動車の内部には手すり１が設置されるが、図１に示すとおり、乗客が手で握るためだけに設置されており、走行中に揺れた時に掴んで安定を得る。また光線が入りにくい状況の時（例として夜間若しくは地下駐車場等の場所）、車内で物を探す場合、車内の補助灯をつけるが、車内灯は車内天井中心位置にあるため、前座席の下方及び後部座席両側位置は照明が届かず効果的でない。
【特許文献１】特開２００３−７２４６３号公報
【考案の開示】
【考案が解決しようとする課題】
【０００３】
解決しようとする問題点は、車内の室内灯は天井中心位置にあるので、前座席下方や後部席両側の光線が不足して、よく見えないという不便の解消である。
【課題を解決するための手段】
【０００４】
本考案は、透明の手すり本体が設置され、その手すり本体内には収納室が成形され、その収納室一端には穿孔が貫通する。また手すり本体内側には開孔が設置され、開孔上には蓋体が設置される。照明ユニットは手すり本体の収納室内に納置され、照明ユニットは細長い回路板が設置され、その回路板上には複数個の発光ダイオードが設置されることを最も主要な特徴とする。
【考案の効果】
【０００５】
本考案の自動車内手すりの照明装置は、下述の利点がある。
本考案は、車内の照明の不足を補う。
本考案の照明装置は、発光ダイオードから構成され、且つ回路板上に複数個配列する。また照明ユニットには点滅、通常発光、切タイマー、間隔発光の昨日があり、効果を強化する。例として、
ドア開閉時若しくはドアの未完全な閉めを警告する。
通常発光時、車内の照明となる。
暗い車内での手すり位置を知らせる。
本考案では、切換スイッチ若しくは自動車の制御装置に連接して照明ユニットが開閉したり、発光機能の選択をしたりする。またドライバーからの中央制御操作で、実用的である。
本考案は、手すり本体両端の凹部底面に長孔が設置され、この長孔によって各種型の車体のネジ孔位置に対応させ、ネジ位置を合わせて定位させるのに使用される。
【考案を実施するための最良の形態】
【０００６】
図２に示すとおり、本考案は、主に手すり本体２及び照明ユニット３を含み、そのうち、
手すり本体２は、透明材質で作られ、その手すり本体２両端には凹部２０が成形される。その凹部２０底面には長孔２１が設けられ、凹部２０上には側面蓋２２を設置する。この側面蓋２２縁辺には複数の掛合鉤２２０が設置されて凹部２０の内縁に掛合する。そのうち、手すり本体２内には細長状の収納室２３が成形され、その収納室２３一端は穿孔２４が形成されて収納室２３と通じる。別に手すり本体２内側には開孔２５が成形され、その開孔２５上に蓋体２６を被せ、その蓋体２６側面にも複数の掛合鉤２６０が設置されて開孔２５の内縁に掛合する。
【０００７】
照明ユニット３は、手すり本体２の収納室２３内に納置する。照明ユニット３は細長状の回路板３０上に複数の発光ダイオード３１が設置され、また照明ユニット３は電気コード３２と自動車制御装置若しくは切換スイッチが接続し、照明ユニット３の点滅を制御する。
【０００８】
組立時、図２〜図５に示すとおり、照明ユニット３を手すり本体２の一側面にある収納室２３内に入れ、その後蓋体２６を開孔２５に被せる。蓋体２６は側面の掛合鉤２６０が開孔２５の内縁で固定され、照明ユニット３の回路板３０最上で位置決めし、手すり本体２の長孔２１と車体側のネジ孔を合わせてネジ部品でネジ止めし、その後側面蓋２を手すり本体２の凹部２０で被せる。この側面蓋２２は掛合鉤２２０で凹部２２の内縁の内縁に掛合して位置決めし、組立が完了する。（図５参照）。
【０００９】
更に、照明ユニット３は点滅灯、通常灯、タイマー、間隔灯の点灯動作条件に設定して制御する。
【図面の簡単な説明】
【００１０】
【図１】公知の手すり構造図である。
【図２】本考案の立体分解図である。
【図３】本考案の立体組立図である。
【図４】本考案の組立断面図である。
【図５】本考案の使用状態参考図である。
【符号の説明】
【００１１】
１        手すり
２        手すり本体
２０        凹部
２１        長孔
２２        側面蓋
２２０        掛合鉤
２３        収納室
２４        穿孔
２５        開孔
２６        蓋体
２６０        掛合鉤
３        照明ユニット
３０        回路板
３１        発光ダイオード
３２        電気コード
【図１】
0003109110.tif 000003
【図２】
0003109110.tif 000004
【図３】
0003109110.tif 000005
【図４】
0003109110.tif 000006
【図５】
0003109110.tif 000007
(57)【要約】【課題】スーパー等の買物で、沢山の買物が入った重い手提げビニール袋を、肩に掛けて運搬するショルダーベルトを提供する。【解決手段】ベルトと両端にあるフックが一体になっているスーパーの手提げビニール袋用ショルダーベルトで、フックは手提げビニール袋の手がスムースに入る様誘導部があり、入った手が外れにくい様、係止部がある一定の長さのショルダーベルトを提供。【選択図】  図１
0003108974.tif 000002
【実用新案登録請求の範囲】
【請求項１】
ベルトと両端のフックが一体となった、一定の長さのスーパーの手提げビニール袋用ショルダーベルト。
【請求項２】
前記フックは係止部と懐部とになるもので、手提げビニール袋の手がスムースに入るよう誘導部がある。
【考案の詳細な説明】
【技術分野】
【０００１】本考案は、スーパーマーケットやコンビニエンスストアー等での買い物時にレジで提供される手提げビニール袋を、肩に掛け運搬出来る様にしたショルダーベルトである。
【背景技術】
【０００２】従来は、スーパー等で多量に買い物が入った手提げビニール袋を持ち帰る時、重く手が痛く大変な苦痛であった。
【考案の開示】
【考案が解決しようとする課題】
【０００３】ペットボトルや野菜等の重く、沢山の買い物を、手提げビニール袋に入れて手で持ち帰ることは大変な苦痛である。又、雨の日の買い物は、片手が傘で使えず手に提げて持ち帰る買い物は限られてしまう。又身体の不自由な人、足の悪い人は、片手に杖がないと歩行出来ず、手に持つ買い物は困難である。又、荷台スペースの無い自転車やオートバイでの買い物はリュックサック等の用意をしないと持ち帰れない、少量の買い物でも手に掛けての運転は危険である。【０００４】手提げビニール袋に買い物を入れ手で持ち帰る時、手提げビニール袋の構造上、手の握る角度と、ビニール袋の広い面の角度が直角になり、ビニール袋が脚に当たり、歩きずらく、手の向きを変えたりしながら持ち帰るという経験は誰にでもある。
【課題を解決するための手段】
【０００５】上述を解決するために、本考案のショルダーベルトの両端のフックを、手提げビニール袋の手にそれぞれ掛け、ベルトを肩に掛けると手提げビニール袋の面の広い方が体に当たり、体にフィットし荷物が軽く感じ非常に楽である。又、使う人、使う用途、手提げビニール袋の大きさ等によって、たすき掛けにしたり、二重にして肩に掛けたり、前に下げたりして、楽に運搬することが出来たくさんの買物が出来る。
【考案の効果】
【０００６】本考案は、ベルトと両端のフックが一体となった、簡単なショルダーベルトで長さの調節は、アジャスター等付けず、８０ｃｍ位の一定の長さにする。手提げビニール袋の大きさや、使う人の都合により、たすき掛けにしたり、又、二重にして肩に掛けたり、前に下げる事により、充分長さの調節が出来、楽に運搬することが出来る。【０００７】本考案のショルダーベルトは、上述のように簡単なベルトなので、安価に造れる為、これを必要とする買物客にスーパーからの提供が可能である。肩に掛けるより、沢山の買物ができ、雨の日の買物や、身体の不自由な人の買物が楽になる。又、次の買物時に携帯すれば何回でも使える。ベルトに店の名前を入れたり、カラーで印象付けたりすれば、良い宣伝媒体になる。
【考案を実施するための最良の形態】
【０００８】例えば幅１．５ｃｍ〜２．５ｃｍ、長さ８０ｃｍ位の薄いビニールのベルトとし、その両端は重さに耐えられる厚さのビニールのフックにする。ビニールのベルトは肩から落ちにくいように縦に凸凹の筋をつける。フックはどんな形でもいいが手提げビニールの手が入りやすいように誘導部１があり、外れにくいように係り止め２があり、ビニール袋の手がおさまる懐部３があるものとする。
【実施例】
【００１０】図面に従って本考案の実施例について説明する。図１は本考案のショルダーベルトを示したものであり、ベルトと両端のフックが一体となっている。図２はベルトを二重にして肩に掛けたものである。二重にする場合は手提げビニール袋の一方の手にベルトを通しもう一方の手にフックを二つ引っ掛けて二重にする。
二重にすると肩から落ちにくいという良い方に作用する。【００１１】図３の様に、たすき掛けにするとバランスが保て楽に運搬出来る。【００１２】オートバイの場合はショルダーベルトを二重にして手提げビニール袋を前に掛けたり又は長さをそのままに、たすき掛けにして手提げビニール袋を背に回す等、運転の邪魔にならない様に出来る。
【図面の簡単な説明】
【図１】本考案の手提げビニール袋用ショルダーベルトの横図。
【図２】本考案ベルトの使用状態を示した図。
【図３】本考案ベルトの他の使用状態を示した図。
【符号の説明】
１    誘導部
２    係止部
３    懐部
【図１】
0003108974.tif 000003
【図２】
0003108974.tif 000004
【図３】
0003108974.tif 000005
(57)【要約】【課題】  各種の靴やシューズ類を履いて歩いたり走ったりする場合において、爪先や足指の力強い屈伸運動をインソール本体にストレートに伝えることによって、歩行・走行能力の飛躍的な向上を図る。【解決手段】  インソール本体（１）の表面にアール状の突起部（２）を創設し、この部位に足指（５）の屈伸部（４）を接触できるように構成することによって、足指（５）の掴んで蹴る能力を最大限に発揮させる。【選択図】    図３
0003108975.tif 000002
【実用新案登録請求の範囲】
【請求項１】
インソール本体（１）の表面の一部に、足指（５）の屈伸部（４）に対応する位置にアール状の突起部（２）を創設してなる歩行・走行補助用具。
【考案の詳細な説明】
【技術分野】
【０００１】  本考案は、靴や各種シューズ類に用いられるインソールに関する。
【従来技術】
【０００２】  従来、靴や各種シューズ類の内底に敷いて用いられるインソールは、クッション性や通気性、脱臭性、殺菌性、芳香性、指圧性などの機能を有するものが知られている。
【考案が解決しようとする課題】
【０００３】  靴やシューズ類は、これを履いたあと必ず歩いたり走ったりするものである。この時、靴内の足の裏は、単に前記インソールの表面、または靴内底面に接しているのみである。
歩行や走行時の足裏は実に躍動的であって、人体体重を支えつつ前進するために非常な変化が行われている。特に、５本の足指は下面に対して終始屈伸運動が行われている。
【０００４】  上述のように、靴内足裏の足指屈伸運動は、かなりの力で躍動しているのであるが、従来の平面的なインソールや靴内底では、いわば空滑り状態といえるものである。そのため、インソール表面や靴内底面上にザラザラ粗面の滑り止め加工を施したりしている。しかし、なお不十分の感を免れない。
【課題を解決するための手段】
【０００５】  そこで本考案は、歩行や走行時における足裏の５本の指の屈伸躍動運動の力に着目してなされたものである。即ち、前記５本の指は、歩行や走行時には必ず地を噛むような形で力強く屈伸運動を行うものである。
【０００６】  地を噛むような足裏５指の力を逃すことなくインソールをもってキャッチすることによって、歩行や走行時の前進能力を飛躍的に向上させ得るものである。
【考案の実施の形態・実施例】
【０００７】  インソール本体（１）の表面の一部に、足指（５）の屈伸部（４）に対応する位置にアール状の突起部（２）を創設してなるものである。
本インソール本体（１）を靴（３）や各種シューズ類の内底に敷いて歩行・走行すれば、足指（５）の屈伸部（４）に前記アール状突起部が密着して喰い込むことになる。
従って、足指（５）がこれを掴んで後方へ蹴る作用がストレートに働き、歩行・走行の能力を飛躍的に向上させることができる。
なお、本考案インソール本体（１）を靴（３）や各種シューズ類の内底に敷いて用いられることは勿論であるが、各種の靴やシューズ類、サンダル、スリッパ等の内底に直接装備することも可能である。
【考案の効果】
【０００８】  必要最小限の力で最大の歩行・走行能力が得られると共に、ふだんあまり触れらることのない足指（５）の屈伸部（４）を突起部（２）が強く押圧刺激するので、程よい指圧効果が生じ血行促進作用や内臓強化作用も期待できる。また、従来よりも楽に歩いたり走ったりすることができる有益考案を提供するものである。
【図面の簡単な説明】
【０００９】
【図１】    本考案歩行・走行補助用具のインソール本体（１）における、足指（５）、及び屈曲部（４）の接触状態を示す平面図。
【図２】    本考案歩行・走行補助用具のインソール本体（１）のＸ−Ｙ断面図。
【図３】    本考案歩行・走行補助用具のインソール本体（１）を備えた靴（３）を履いて歩く状態を示す側面図。
【符号の説明】
【００１０】      １    インソール本体
２    突起部
３    靴
４    屈伸部
５    足指
【図１】
0003108975.tif 000003
【図２】
0003108975.tif 000004
【図３】
0003108975.tif 000005
(57)【要約】      （修正有） 【課題】従来新聞・雑誌等の切抜物は固定された台紙に大体が採集時点の時系列で大小取り混ぜてベタベタと糊で貼り込んでいる為貼採集物が固定化している。新聞・雑誌等の切抜物は採集時点の時系列であるが、内容はまちまちの時点・事項の物であり過去の方法ではその後の利用という点において満足しない。又必要個所を再利用するには剥ぎ取らねばならずその際スクラップ物を損傷する。更に台紙と両面の貼りこみ物でブカブカと嵩張る。【解決手段】着脱可能な有孔とじ込具を有するファイル器具１に用いる台紙２であって、有孔帯状長方形台紙と帯状糊付長方形台紙と 同ミシン目入り台紙５のいずれか一つ又は二つ以上を組合せて、新聞雑誌等の切抜物を収容する事を特徴とするスクラップブック。【選択図】図１
0003108956.tif 000002
【実用新案登録請求の範囲】
【請求項１】
着脱可能な有孔とじ込具を有するファイル器具に用いる台紙であって、有孔帯状長方形台紙と帯状糊付長方形台紙と 同ミシン目入り台紙のいずれか一つ又は二つ以上を組合せて、新聞雑誌等の切抜物を収容することを特徴とする帯状台紙スクラップブック。
【考案の詳細な説明】
【技術分野】
【０００１】
本考案は有孔帯状長方形台紙を有孔ファイル器具に装着利用するものである。 
【背景技術】
【０００２】
従来新聞・雑誌等のスクラップ物は固定綴じされた平面台紙にベタベタと貼り込んで使用していた。
【考案の開示】
【考案が解決しようとする課題】
【０００３】
従来、新聞・雑誌等のスクラップ物は固定された台紙に大体が採集時点の時系列で大小取り混ぜてベタベタと糊で貼り込んでいる為貼りこみ物が固定化している。 新聞・雑誌等のスクラップ物は採集時点の時系列であるが、内容はまちまちの時点・事項の物であり上記のような方法では只の羅列であって概ねその後の利用という点において満足しない。又必要個所を再利用するには剥ぎ取らねばならずその際スクラップ物を損傷する。更に台紙と両面の貼りこみ物でブカブカと嵩張る。
【課題を解決するための手段】
【０００４】
本考案は有孔とじ込具を有するファイル器具に用いる台紙であって、有孔帯状長方形台紙と帯状糊付長方形台紙と 同ミシン目入り台紙のいずれか一つ又は二つ以上を組合せて、新聞雑誌等の切抜物を収容する帯状台紙スクラップブックである。
これにより新聞・雑誌等のスクラップ物を帯状長方形台紙に一件一葉を貼りこみ有孔ファイル器具に収容する事が出来る。特に保護を要する切抜物はミシン目入り全紙台紙を利用する事により、 保護効果を高める。 
【考案の効果】
【０００５】
さまざまな大きさの新聞・雑誌等のスクラップ物をその大きさに合せた有孔台紙に一件一葉で貼りこみ、且、脱着可能な有孔ファイル器具 に収容する為、必要に応じて台紙の移動が容易であるから採集時系列と内容時（事）系列の編集が可能となり効果が高められる。又編集効果が高まることにより切抜作業に楽しみが加増され環境が一変する。更に貼りこみ台紙が貼りこみ部分の帯状のみであるので全体が嵩張らない  。 
【考案を実施するための最良の形態】
【０００６】
次に本考案を有効に利用する為の最良の形態を実施例となる図面とともに説明する。
図１に示す様に有孔ファイル器具１は６穴〜３０穴程度の多孔の物を用い、帯状台紙２の方はその全長幅にフル孔としさまざまな大きさに対応出来る様にすると良い。また帯状台紙２の幅は３０ミリ〜５０ミリ程度のものが利用しやすい。
また図１−１のファイル器具は一例であって、被収容物が脱着可能であればパイプ式、レバー式、リング式等方式には限定されず、その素材も金具、プラスチック等を問わない。
また２の台紙の質については、素材として紙或は塩化ビニール・ポリプロピレン等の化学性の物でも限定しないが、厚みについては嵩張らない程度の物が良 い。                                                                                                   
【０００７】
図２に示す様に帯状台紙２の一部を糊付防止テープ３−２を有した糊付き部分３とする事により都度糊付けをしなくてより便利に利用出来る。又帯状台紙２にミシン目を入れた物７を用意することによりスクラップ物の大小に対応できる。
【０００８】
又帯状台紙２を色別する事により内容物が一見して識別出来 編集を容易にする。
【０００９】
帯状台紙２に２０ミリ〜３０ミリの突出部４を設けた物を用意して、日附・項目等を記入出来る欄を加工する事により検索効果を高めることが出来る。                                                      
【００１０】
帯状台紙２をファイル器具１に縦・横とも収容可能な大きさとしたミシン目入り台紙５として利用する事により全面或は必要部分のみの利用が容易となる。
【００１１】
帯状台紙２の一部に透明又は半透明な袋状の物６を取付ける事により写真・葉書等の関連物を切抜物 に併せ収容出来、より編集効果を高める。
【図面の簡単な説明】
【００１２】
【図１】本考案の一実施例の全体図を示す平面図である。
【図２】本考案の帯状台紙の具体例である。
【符号の説明】
【００１３】
１  脱着可能な有孔ファイル器具 
２  有孔帯状台紙
３  有孔帯状台紙の糊付き部分
４  有孔帯状台紙の突出部 
５  ミシン目入り台紙
６  取付けた袋状収容物     
【図１】
0003108956.tif 000003
【図２】
0003108956.tif 000004
(57)【要約】【課題】本考案はタンパーエビデンス性を有し開栓後容器本体にブリッジ部が残るキャップ類に対応する容器について，使用感や外観を改善し衛生的にも向上させ，及び／又は同時にブリッジ部取り外しも容易にする。【解決手段】ブリッジ固定形状を有するブリッジ部固定部位１を設け，ブリッジ部２をブリッジ部固定部位１に押し下げることによりブリッジ部２を固定，安定化させ衛生的に問題になり易い間隙を防ぐ。また，切れ目等，取り外し用処置を施したブリッジ部２に対しては押し下げる際にブリッジ部２にかかる力を利用し取り外しが容易になる。【選択図】図１
0003108998.tif 000002
【実用新案登録請求の範囲】
【請求項１】
容器にブリッジを固定する形状を持たせた固定部位を設け，付け替え用キャップ類を装着する圧力あるいは手指等の押し下げにより，タンパーエビデンス性を有するキャップの内，開栓後に容器本体にブリッジ部が残るものに対して残ったブリッジ部を固定し，あるいは取り外しを容易にしたことを特徴とする容器である。
【考案の詳細な説明】
【技術分野】
【０００１】  本考案は，開栓後にキャップのブリッジ部分を固定する，あるいはブリッジ部の取り外しを容易にする形状を有する容器に関するものである。
【背景技術】
【０００２】  タンパーエビデンス性を有するキャップ類は，一度開栓すると元の状態に復元することができないために異物混入や内容物偽造等を防止することができる。また，未開栓，開栓の管理も容易である。
ウィングロック，タブファンクションシステム等，さまざまな形状のものがあるが，容器本体と同じねじを有する上部とブリッジと呼ばれる下部からなり，上部とブリッジ部はミシン目を入れる，あるいは肉薄にする等切れやすくした切り部によって区切られている。
開栓時には逆ねじピッチによって切り部が切れキャップ上部が切り離される。
この時，キャップ下部であるブリッジ部が容器本体に残る。
【考案の開示】
【考案が解決しようとする課題】
【０００３】  従来の容器は開栓後のブリッジ部が可動で不安定であり，外観も低下させる。
また，ブリッジと容器本体との間に間隙を生じやすく内容物が溜まり腐敗する等不衛生であるため繰り返し使用する調味料や濃縮型ドリンク等には不適当である。【０００４】  また，ブリッジ部を取り外そうとする場合は，余地がなく手間がかかり，リサイクル資源として分別する場合等に不都合がある。
【課題を解決しようとするための手段】
【０００５】  本考案は，開栓後にブリッジ部が残る位置の下部にブリッジ部を固定する固定部位を設け，ブリッジ部を固定する形状を持たせることにより解決している。付け替え用キャップ類装着時の圧力を利用し，あるいは手指等によって押し下げ，開栓後のブリッジ部を固定部位に移動させることができる。
【考案の効果】
【０００６】  可動であったブリッジ部を固定することにより不安定さから生じる使いにくさや外観の悪さを解消し，また，キャップ上部の代わりにノズルやスプレー，トグルキャップ等の付け替え用キャップ類を取り付けて使用する時も安定し使いやすく，かつ間隙の生じやすさを解消し衛生的に使用することができる。
【０００７】  同時に，ブリッジ部に取り外し用のミシン目や切れ目を入れる，あるいは利用者が切れ目を入れ，付け替え用キャップや手指の押し下げによって容易に開裂し取り外すことができる。
【考案の実施するための最良の形態】
【０００８】  開栓後のブリッジ部を固定するための固定部位を設け，付け替え用キャップ類装着時の圧力，あるいは手指等によって押し下げブリッジ部を固定部位に移動し固定させる。
固定位置に移動したブリッジ部は固定部位の形状により固定される。
【０００９】  また，ブリッジ部に取り外し用ミシン目や切れ目がある場合，あるいは利用者が切れ目を入れた場合は，固定位置に移動させることにより開裂させ取り外す。
【実施例】
【００１０】  以下，添付書類に従って一実施例を説明する。１は固定部位である。２は容器本体に残ったブリッジ部である。３は付け替え用キャップである。【００１１】  付け替え用キャップ３を装着する際，ブリッジ部２は押し下げられ固定部位１に移動する。【００１２】  本考案の一実施例は上記の如き構成のものであり，付け替え用キャップ３の代わりに手指等で押し下げブリッジ部２を固定部位１に移動させることもできる。【００１３】  ブリッジ部２に取り外し用のミシン目や切れ目等がある場合は，固定部位１に移動すると同時にブリッジ部２に横に広げようとする力が加わりミシン目や切れ目等が開裂し取り外しが容易になる。
【図面の簡単な説明】
【００１４】
【図１】本考案該容器の形状を示す正面図である。
【図２】開栓時のブリッジ位置を示す正面図である。
【図３】本考案の一実施例を示す正面図である。
【符号の説明】
【００１５】１  ブリッジ部固定部位
２  ブリッジ部
３  付け替え用キャップ
【図１】
0003108998.tif 000003
【図２】
0003108998.tif 000004
【図３】
0003108998.tif 000005
(57)【要約】【課題】簡単に取り付けられていて、風圧だけで風車を回転させ、運転者又は歩行者の視認性を高める風車を提供する。【解決手段】自然の風力を利用し、風車の羽根を略半円形又は、Ｌ字状にしたため、風の吸収を受けやすく、敏速でかつきれいに回転しやすくした。【実用新案登録請求の範囲】
【請求項１】
自転車等の乗物のハンドルに取り付ける風車であって、羽根の長手方向に直角な断面が略半円形又は、断面がＬ字状である羽根を複数枚有する風車。
【請求項２】
前記の風車において、回転軸の延長上に着脱可能な円筒状の透明パイプの飾り部を設けたことを特徴とする請求項１記載の風車。
【請求項３】
前記の風車において、支持体とハンドル取り付け部とが、Ｌ字形支持棒で連結されており、Ｌ字形の支持棒がハンドル取り付け部に開けられた連結孔に差し込まれて、２箇所で自由に動かすように連結されている請求項１又は、請求項２記載の風車。
【考案の詳細な説明】
【技術分野】
【０００１】  本考案は、昼夜を問わず、自転車の存在を歩行者および、運転者に音と反射光で知らせ、接触事故・衝突事故を減少さす効果を得る考案品である。
【背景技術】
【０００２】  自転車の歩道走行による歩行者と自転車の接触事故が、重大なる社会問題として新聞・テレビ等で取り上げられている、歩行者と自転車の接触・衝突による人身事故の低減こそ急務である。
【考案の開示】
【考案が解決しようとする課題】
【０００３】  近年、電池又は水銀灯、発電機等を利用し発光させて、運転者・歩行者に自転車の存在が分かるようにさまざまな装置が提供されているが、スイッチの操作が複雑化しているので、特に女性や子供が取り付けるには現実性に乏しいのである。
【課題を解決するための手段】
【０００４】  上記の目的を達成するため、本考案は自転車のハンドル部にネジ１本で簡単に設置できるものである。【０００５】  又、風車の回転によって生じる羽根の点滅現象と延長軸に設置してある円筒状の透明パイプに内蔵している鈴・反射板・文字板もしくは飾り物によって、視認性をより一層高めることができる。
【考案の効果】
【０００６】  最近、エンジン付二輪車は、昼夜ライトを点灯させて走行して運転者又は歩行者に注意を引いているが、本考案は昼夜のライトよりも視認性が高い、又本考案は、昼夜かまわず取り付けておくと自転車のアクセサリーとして意匠的価値が高い。
【考案をと実施するための最良の形態】
【０００７】  風車の羽根をナイロン樹脂の材質を使用し、軽量でかつ丈夫なので敏速で回転するようにした。
【実施例１】
【０００８】  本考案の実施例を図面と参照して説明する。ハンドル本考案取り付け部８と支持体１０を連結させている。支持棒７支持体１０を回転させることで自由に角度と高さの調整ができる。【０００９】  羽根１は、進行方向に向かって回転させることで、羽根１に貼り付けている反射板とキラキラシール２が光り、点滅現象として見ることができる。【００１０】  延長軸３に簡単に取替えできる透明プラスチックパイプ４を使用しているので反射板２又は鈴５等、安全走行につながるものを入れることができる。
【産業上の利用可能性】
【００１１】  本考案は、風車の羽根１を断面が半円形にすることによって、風を吸収しやすくするため、風車で点滅現象と鈴５の音色を出すことができる風車である。
【図面の簡単な説明】
【００１２】
【図１】本考案の側面図である
【図２】本考案の正面図である
【図３】（ａ）略半円形の羽根の立体図である。（ｂ）Ｌ字状の羽根の立体図である。（ｃ）図（ａ）の断面図である。（ｄ）図（ｂ）の断面図である。
【図４】本考案の使用状態を示した図である。
【符号の説明】
【００１３】１羽根
２反射シール
３回転体
４透明プラスチックパイプ
５鈴
６主軸
７支持棒
８ハンドル取り付け部
９ハンドル
１０支持体
【図１】
0003108934.tif 000002
【図２】
0003108934.tif 000003
【図３】
0003108934.tif 000004
【図４】
0003108934.tif 000005
(57)【要約】      （修正有）【課題】湿気や臭気を除去し、健康の維持向上を図るため、炭を入れた収納箱をベッドの中央部分に装着した健康ベッドを提供する。【解決手段】収納箱は底板と４枚の側板により構成され、側板と側板には複数の通気孔を設ける。側板と側板には装着用の巾木及びを取り付けける。ベッド本体のフレームの収納箱を装着する面に受け板を取り付けける。収納箱に木炭又は竹炭を充填する。装着された収納箱の上に、多数の通気孔を設けた桐板を載せる。収納箱を装着しないフレームの上には通気孔の無い桐板を載せる。【選択図】なし【実用新案登録請求の範囲】
【請求項１】
（イ）収納箱（１）は底板（２）と側板（３ａｂｃｄ）により構成され、側板には複数個の通気孔を設ける。
（ロ）収納箱（１）をベッド本体のフレーム（４）に装着する。
（ハ）複数の収納箱の上に多数の通気孔を設けた桐板（５）を載せる。
（ニ）収納箱を装着しないフレームの上には通気孔の無い桐板（６ａｂｃｄ）を載せる。
以上の如く構成された、炭収納箱付き健康ベッド。
【考案の詳細な説明】
【考案の詳細な説明】
この考案はベッド本体の中央部分に炭を収納した箱を装着したベッドに関するものである。
通常、ベッドは空気中の湿気や汗などによってカビが発生したりダニの発生が見られ健康上好ましくない状況になりやすい。
本考案はこのような問題を解決するため、炭を入れた収納箱をベッドの中央部分に装着し、炭の吸着能によって湿気や臭気を吸着除去し、カビやダニの発生を極力防止するようにしたものである。炭は木炭や竹炭を使用する。
炭の収納箱はベッド本体の中央部分に１個又は複数個装着する。
収納箱は底板と側板より構成され、側板には複数の通気孔を明けてある。中央部分に装着した収納箱の上には多数の通気孔を有する桐板を載せる。この上にフトンを敷いて使用する。
【図面の簡単な説明】
【図１】本考案のベッド本体の斜視図
【図２】本考案のベッド本体のフレーム平面図
【図３】本考案の炭収納箱の斜視図
【図４】本考案の桐箱の斜視図
【図−１】
0003108932.tif 000002
【図−２】
0003108932.tif 000003
【図−３】
0003108932.tif 000004
【図−４】
0003108932.tif 000005
(57)【要約】      （修正有）【課題】腰の強い針金を使用することによって、容易に排水管内の障害物に針金を押入可能、また強い曲がった針金の力により管内のごみ、油カス等を引出すことができる排水管内掃除機を提供する。【解決手段】太い針金１の上部先端を鋭利に折り曲げる２。その折り曲げた針金の下端部分を平たくする３。排水出口（下水道側）から、流し台に向かって、曲げた針金２の曲がった部分を先頭に排水管の内部に針金を押入しながら、針金全体の軽い上下運動をくり返すことによって排水管内部を掃除することができる。【選択図】図１
0003108938.tif 000002
【実用新案登録請求の範囲】
【請求項１】
太い針金（１）の上部先端を鋭利に折り曲げて（２）のごとくし、その折り曲げた針金（２）の下端部分の（３）を平たい針金にする排水管内掃除機。
【考案の詳細な説明】
【考案の詳細な説明】
【産業上の利用分野】
【０００１】    この考案は、針金を折り曲げてごみをひつかき掃除をする、排水管内掃除機に関するものである。
【背景技術】
【０００２】    従来、針金を螺旋状にして先端を太くした排水管内のごみ、油カス等を押し出す掃除機があった。
【考案が解決しようとする課題】
【０００３】    これは次のような欠点があった。
（イ）針金が螺旋状になっており、しかも先端が蛇のコブラの頭のように広がり、また丸く、太く、大きくなっているので、障害物を除去するため、針金を前方に押し進めると、障害物の抵抗で、針金全体の腰が弱くなり、折れ曲がつて、障害物を突き抜けて前方に進むことや障害物を押し出すことができなかった。
（ロ）螺旋の先端が丸く、太く、大きくなっているだけで内部のごみをひつかき、引き出す装置がなかった。
本考案は、これらの欠点を除くためになされたものである。
【課題を解決するための手段】
【０００４】    太い針金（１）の上部先端を鋭利に折り曲げて（２）のごとくする。
そして、折り曲げた針金（２）の下端部分（３）を平たい針金にする。
本考案は以上のような構成よりなる排水管掃除機である。
【作用】
【０００５】  排水出口（下水道側）から、流し台に向かって、曲げた針金（２）の曲がった部分を先頭に排水管の内部に針金を押入しながら、針金全体の軽い上下運動をくり返すことによって排水管内部を掃除することができる。
【実施例】
【０００６】  以下、本案の実施例について説明する。
（イ）太い針金（１）の上部先端を鋭利に折り曲げて（２）のごとくする。
（ロ）折り曲げた針金（２）の下端部（３）を平たい針金にする。
（ハ）折り曲げた針金（２）の下端部（３）の平たくした部分は針金（１）と平行にする。
本案は以上のような構造で、これを使用するときは、排水出口（下水道側）から、流し台に向かって、曲げた針金（２）の曲がった部分を先頭に排水管の内部に針金を押入していく。
排水管内に、ごみ、油カス等の障害物がある場合、針金を押入していると抵抗を感じる、そのとき鋭利に折り曲げた、針金（２）の先端は、そのごみ、油カスに突き刺さっている、更に押し進めると、（２）の先端は障害物を突き抜けて、上方に進む、逆にひっぱると、折り曲げた針金（２）は下端部（３）の平たい針金と共に、障害物を抱え込んで、下方に移動する、そのようにして、無理なく針金を軽く上下に動かしながら、管内の障害物をひつかき、ひっぱり出す。
なお、水道の水を出しながらの作業は効果大。針金の長さは排水管に合せる。
本考案は、他のほとんどの土管内の清掃にも利用することができる。
【考案の効果】
【０００７】  容易に排水管内部に掃除機を押入することができ、折り曲げた針金の利用で、ひっぱる力が強力になり、管内のごみ、油カス等の障害物を、楽に、ひっかきながら除去することができる。
【図面の簡単な説明】
【図１】本考案の斜視図である。
【図２】本考案の側面図である。
【符号の説明】
１  太い針金
２  折り曲げた針金
３  平たい針金
【図１】
0003108938.tif 000003
【図２】
0003108938.tif 000004